(57)【特許請求の範囲】
【請求項１】
自動販売機が取り扱う商品に関連した訴求情報が印刷された表示体を、販売機本体の外扉上部に取り付けるための自動販売機の訴求情報表示装置であって、
前記訴求情報表示装置を、
前記外扉の前側上部に沿って該外扉の幅方向に取り付けられる取付け板と、
前記取付け板の前面に取り付けられ該取付け板の前面全体が覆われる大きさ及び形状に形成した成形体と、
前記成形体の前面に取り付けられ該成形体の前面全体が覆われる大きさ及び形状に形成したカバーとで構成し、
前記成形体の前面に、前記表示体の収容が許容される凹状の収容部を形成し、
前記収容部と対向する前記カバーの前面に、該カバーの外部から前記収容部に収容された前記表示体の訴求情報の読み取りが許容される透明な窓部を形成した
自動販売機の訴求情報表示装置。
【請求項２】
前記取付け板を、
前記外扉の上部平面に沿って略水平に載置される載置板と、
前記載置板の後端側を上方に向けて垂直に折り曲げて形成した起立板と、
前記載置板の前端側を前記外扉の上部前面に沿って下方に向けて垂直に折り曲げて形成した垂下板とで構成した
請求項１に記載の自動販売機の訴求情報表示装置。
【請求項３】
前記取付け板に形成した垂下板の下端部に、前記外扉の前面に形成した展示部の上縁部に係止される係止爪を形成し、
前記取付け板に形成した起立板と、前記外扉の後側上部に取り付けられた取付け金具とを固定する固定手段を備えた
請求項１又は２に記載の自動販売機の訴求情報表示装置。
【請求項４】
前記成形体の収容部と前記カバーの窓部との対向周縁部に、該対向周縁部を水密状態にシールする合成ゴム製のパッキンを取り付けた
請求項１〜３のいずれか一つに記載の自動販売機の訴求情報表示装置。
【請求項５】
前記パッキンの下縁部に、前記収容部の内部と外部を連通する通路を形成した
請求項４に記載の自動販売機の訴求情報表示装置。
【請求項６】
前記表示体を、
前記成形体の収容部に対し収容が許容される大きさ及び形状に形成され、前記商品に関連したロゴ情報が表面に印刷されたロゴ表示体で構成し、
前記ロゴ表示体を、前記ロゴ情報が印刷された表面を前記自動販売機の正面と一致する方向に向けて前記収容部に固定した
請求項１〜５のいずれか一つに記載の自動販売機の訴求情報表示装置。
【請求項７】
前記表示体を、
前記成形体の収容部に対し収容が許容される大きさ及び形状に形成され、前記商品に関連する広告情報が印刷された広告表示体で構成し、
前記広告表示体を、前記ロゴ表示体のロゴ情報を覆い隠すことができる大きさ及び形状に形成し、
前記ロゴ表示体と前記広告表示体の対向周縁部に、互いに係止される係止溝と係止片を形成し、
前記広告表示体を、前記収容部に収容された前記ロゴ表示体の表面に対し該ロゴ表示体のロゴ情報が覆い隠されるように装着して、該各表示体の対向周縁部に形成した係止溝と係止片を互いに係止した
請求項１〜６のいずれか一つに記載の自動販売機の訴求情報表示装置。
【請求項８】
前記成形体と前記カバーの上端側対向縁部のいずれか一方の縁部に係止爪を形成し、他方の縁部に前記係止爪が後方より係止される係止孔を形成し、
前記係止爪と係止孔を、前記自動販売機の前面と対応する方向に向けて係止可能に設けた
請求項１〜７のいずれか一つに記載の自動販売機の訴求情報表示装置。
【請求項９】
前記成形体と前記カバーの下端側対向縁部のいずれか一方の縁部に止め孔を形成し、他方の縁部に前記止め孔に対し係止される止めピンを上下動可能及び水平回転可能に取り付け、
前記止め孔と前記止めピンの一方の対向周面を、該止め孔に対し前記止めピンの挿入が許容される大きさ及び形状に形成し、
前記止め孔と前記止めピンの他方の対向周面を、該止め孔に対し前記止めピンが抜き取り不可に係止される大きさ及び形状に形成した
請求項１〜８のいずれか一つに記載の自動販売機の訴求情報表示装置。
【発明の詳細な説明】
【技術分野】
【０００１】
この発明は、自動販売機が取り扱う商品の訴求力を高めるために用いられる自動販売機の訴求情報表示装置に関する。
【背景技術】
【０００２】
従来、上述の自動販売機における広告の表示方法としては、例えば自動販売機用化粧板（特許文献１参照）と、自動販売機の訴求情報表示装置（特許文献２参照）が提案されている。  
特許文献１には、広告表示板を、外扉の上部幅方向に取り付けられた中央側部材の前面幅方向に保持し、該広告表示板の前面を保護カバーによって覆うことが開示されている。また、特許文献２には、透明な前面板と背面板の間にシート状の広告表示体を挟み込んで、自動販売機の外扉前面に取り付けることが開示されている。
【０００３】
しかし、特許文献１の広告表示板は、保護カバーにより前面が覆われているだけであり、広告表示板の端面は外部に露出されている。また、特許文献２の広告表示体は、前面板と背面板の間に挟み込まれているだけであり、広告表示体の端部は外部に露出されている。このため、広告表示板及び広告表示体が天候による影響を受けやすく、野外等の経年変化が起きやすい環境の下で使用した際、広告表示板に印刷された文字や絵、写真等の訴求情報が薄くなったり、色褪せたりするので、訴求力を長期に亘り安定して得ることができない。
【先行技術文献】
【特許文献】
【０００４】
【特許文献１】特開２００８−２１０８６号公報
【特許文献２】特開２００２−１９７５３０号公報
【発明の概要】
【発明が解決しようとする課題】
【０００５】
この発明は、自動販売機が取り扱う商品に関連した訴求情報の表示及び変更が簡単且つ容易に行え、訴求力が長期に亘り安定して得られる自動販売機の訴求情報表示装置を提供することを目的とする。
【課題を解決するための手段】
【０００６】
この発明は、自動販売機が取り扱う商品に関連した訴求情報が印刷された表示体を、販売機本体の外扉上部に取り付けるための自動販売機の訴求情報表示装置であって、前記訴求情報表示装置を、前記外扉の前側上部に沿って該外扉の幅方向に取り付けられる取付け板と、前記取付け板の前面に取り付けられ該取付け板の前面全体が覆われる大きさ及び形状に形成した成形体と、前記成形体の前面に取り付けられ該成形体の前面全体が覆われる大きさ及び形状に形成したカバーとで構成し、前記成形体の前面に、前記表示体の収容が許容される凹状の収容部を形成し、前記収容部と対向する前記カバーの前面に、該カバーの外部から前記収容部に収容された前記表示体の訴求情報の読み取りが許容される透明な窓部を形成した自動販売機の訴求情報表示装置であることを特徴とする。
【０００７】
上記構成によれば、取付け板を外扉の前側上部に取り付け、成形体を取付け板の前面に取り付けた後、訴求情報が印刷された表示体を成形体の収容部に収容する。この後、カバーを、成形体の前面全体を覆うように取り付け、表示体が収容された凹状の収容部を覆う。つまり、収容部に収容した表示体が外部に露出していないため、天候による影響を受けることがない。  
この結果、野外等の経年変化が起きやすい環境の下で使用しても、表示体の訴求情報が薄くなったり、色褪せたりせず、訴求力が長期に亘り安定して得られる。
【０００８】
この発明の態様として、前記取付け板を、前記外扉の上部平面に沿って略水平に載置される載置板と、前記載置板の後端側を上方に向けて垂直に折り曲げて形成した起立板と、前記載置板の前端側を前記外扉の上部前面に沿って下方に向けて垂直に折り曲げて形成した垂下板とで構成することができる。
【０００９】
上記構成によれば、取付け板の載置板を外扉の上部平面に沿って載置し、垂下板を外扉の上部前面に沿って取り付ける。つまり、取付け板の載置板及び垂直板を、外扉の上部平面及び上部前面に沿わせて取り付けることにより、取付け板が上下方向や前後方向にガタ付くのを防止することができる。  
この結果、上述の取付け板を用いて取り付けることにより、訴求情報表示装置を、外扉の前側上部に対し安定した状態に取り付けることができる。
【００１０】
また、この発明の態様として、前記取付け板に形成した垂下板の下端部に、前記外扉の前面に形成した展示部の上縁部に係止される係止爪を形成し、前記取付け板に形成した起立板と、前記外扉の後側上部に取り付けられた取付け金具とを固定する固定手段を備えることができる。
【００１１】
上記構成によれば、取付け板を、外扉の前側上部に取り付ける際、垂下板の下端部に形成した係止爪を、外扉の前面に形成した展示部の上縁部に係止する。  
また、外扉の前側上部に載置した取付け板の起立板と、外扉の後側上部に取り付けた取付け金具とを固定手段により固定するので、取付け板を、少ない工数にて外扉の上部に取り付けることができる。  
この結果、訴求情報表示装置を、外扉の上部に対し取り付ける際に要する作業時間を短縮することができ、作業の能率アップが図れる。
【００１２】
また、この発明の態様として、前記成形体の収容部と前記カバーの窓部との対向周縁部に、該対向周縁部を水密状態にシールする合成ゴム製のパッキンを取り付けることができる。  
上記構成によれば、カバーの窓部を成形体の収容部と対向させて、該カバーを成形体の前面を覆うように取り付けた際、収容部と窓部の対向周縁部に対しパッキンが押し付けられるので、相互の対向周縁部が水密状態にシールされる。
【００１３】
したがって、カバーと成形体の間に配置された収容部に、例えば雨水や水滴、雪、ゴミ等の異物が浸入することを防止することができる。また、収容部に収容した表示体の表面に、上記異物が付着するか、該異物の付着跡が残ってしまうことを防止することができる。  
この結果、収容部に収容した表示体の訴求情報の読み取りが許容される綺麗な状態を保つことができ、例えば販売促進、宣伝広告、注目度等の訴求力が長期に亘り安定して得られる。
【００１４】
また、この発明の態様として、前記パッキンの下縁部に、前記収容部の内部と外部を連通する通路を形成することができる。  
上記構成によれば、カバーを、成形体の前面を覆うように取り付けた際、パッキンの通路を介して、収容部の内部と外部の間で通気が効率よく行われる。したがって、装置外部の環境（例えば気温、湿度等）が変化しても、収容部の内部と外部の間に温度差や湿度差が生じることがなく、成形体の収容部と対向するカバーの窓部が曇ってしまうのを防止することができる。  
この結果、カバーの窓部を、収容部に収容した表示体の訴求情報の読み取りが許容される透明な状態を長期に亘って保つことができる。
【００１５】
また、この発明の態様として、前記表示体を、前記成形体の収容部に対し収容が許容される大きさ及び形状に形成され、前記商品に関連したロゴ情報が表面に印刷されたロゴ表示体で構成し、前記ロゴ表示体を、前記ロゴ情報が印刷された表面を前記自動販売機の正面と一致する方向に向けて前記収容部に固定することができる。
【００１６】
上記構成によれば、自動販売機が取り扱う商品に関連したロゴ情報を、ロゴ表示体の表面に予め印刷しておき、そのロゴ情報が印刷されたロゴ表示体を、ロゴ情報が印刷された表面を外扉の正面と対応する方向に向けて、例えば両面粘着テープ、接着剤、ネジ等のプレート固定手段にて成形体の収容部に固定する。
【００１７】
これにより、ロゴ表示体を、成形体の収容部に固定する際、ロゴ表示体に印刷されたロゴ情報が変形したり、歪んだりすることがなく、例えば明朝体、ゴシック体、筆記体等の所望する文字形態を維持することができる。
【００１８】
この結果、ロゴ表示体に印刷されたロゴ情報を、カバーに形成された窓部を介して該カバーの外側から正確に読み取ることができるため、自動販売機が取り扱う商品に関連した情報、すなわち、例えば会社名、商品名等をアピールすることができる。
【００１９】
また、この発明の態様として、前記表示体を、前記成形体の収容部に対し収容が許容される大きさ及び形状に形成され、前記商品に関連する広告情報が印刷された広告表示体で構成し、前記広告表示体を、前記ロゴ表示体のロゴ情報を覆い隠すことができる大きさ及び形状に形成し、前記ロゴ表示体と前記広告表示体の対向周縁部に、互いに係止される係止溝と係止片を形成し、前記広告表示体を、前記収容部に収容された前記ロゴ表示体の表面に対し該ロゴ表示体のロゴ情報が覆い隠されるように装着して、該各表示体の対向周縁部に形成した係止溝と係止片を互いに係止することができる。
【００２０】
上記構成によれば、広告表示体を、訴求情報が印刷された表面を外扉の正面と対応する方向に向けたまま、成形体の収容部に固定されたロゴ表示体の表面に重ね合わせて、ロゴ表示体の表面に印刷されたロゴ情報を覆い隠すとともに、ロゴ表示体と広告表示体の対向周縁部に形成した係止溝及び係止片を互いに係止する。
【００２１】
これにより、広告表示体を、ロゴ表示体の表面に印刷されたロゴ情報を覆い隠すように装着して、広告表示体に印刷された訴求情報を、カバーの窓部を介して該カバーの外部から読み取り可能に表示することができる。  
この結果、広告表示体を、ロゴ表示体の表面に印刷されたロゴ情報を覆い隠す状態に装着するだけで、ロゴ表示体のロゴ情報を表示するロゴ表示状態から、広告表示体の訴求情報を表示する広告表示状態へ表示変更することができる。
【００２２】
また、この発明の態様として、前記成形体と前記カバーの上端側対向縁部のいずれか一方の縁部に係止爪を形成し、他方の縁部に前記係止爪が後方より係止される係止孔を形成し、前記係止爪と係止孔を、前記自動販売機の前面と対応する方向に向けて係止可能に設けることができる。
【００２３】
上記構成によれば、成形体とカバーのいずれか一方の縁部に形成した係止爪を、他方の縁部に形成した係止孔に対し後方より係止する。つまり、係止爪と係止孔を、自動販売機の前面と対応する方向に向けて、成形体及びカバーの分離が阻止される方向に対し係止するので、カバーを、成形体の前面を覆うように取り付けることができる。
【００２４】
上述の成形体とカバーの上端側対向縁部を、係止爪と係止孔を互いに係止する構造により固定するので、例えばネジや止め金具等で固定するような手間及び作業が省け、成形体とカバーの下端側対向縁部を固定する作業が簡単に行える。
【００２５】
この結果、カバーを、成形体の前面を覆うように取り付けたり、成形体から分離したりする作業が容易に行え、作業性の向上を図ることができる。また、カバーを成形体から分離するだけで、成形体の収容部に収容された例えばロゴ表示体、広告表示体等の表示体を簡単に交換することができる。
【００２６】
また、この発明の態様として、前記成形体と前記カバーの下端側対向縁部のいずれか一方の縁部に止め孔を形成し、他方の縁部に前記止め孔に対し係止される止めピンを上下動可能及び水平回転可能に取り付け、前記止め孔と前記止めピンの一方の対向周面を、該止め孔に対し前記止めピンの挿入が許容される大きさ及び形状に形成し、前記止め孔と前記止めピンの他方の対向周面を、該止め孔に対し前記止めピンが抜き取り不可に係止される大きさ及び形状に形成することができる。
【００２７】
上記構成によれば、成形体とカバーのいずれか一方の縁部に形成した止め孔に対し、他方の縁部に取り付けた止めピンを該止め孔に対し挿入が許容される挿入角度に保ったまま挿入する。この後、止めピンを、止め孔に対し抜き取り不可に係止される抜止め角度に水平回転して抜止めするので、カバーを、成形体の前面を覆うように取り付けることができる。
【００２８】
また、止めピンを、止め孔に対し抜き取りが許容される角度に水平回転すれば、該止めピンを止め孔から抜き取ることができるので、カバーを、成形体から簡単に取り外すことができる。
【００２９】
上述の成形体とカバーの下端側対向縁部を、止め孔と止めピンを互いに係止する構造により固定するので、例えばネジや止め金具等で固定するような手間及び作業が省け、成形体とカバーの下端側対向縁部を固定する作業が簡単に行える。  
この結果、カバーを、成形体の前面を覆うように取り付けたり、成形体から分離したりする作業が容易に行え、作業性の向上を図ることができる。
【００３０】
前記訴求情報は、例えば会社名、商品名等のロゴ情報、或いは、商品名、広告文、宣伝文、メッセージ、模様、図柄、植物、動物、風景等の広告情報で構成することができる。  
また、取付け板は、例えばスチール、アルミニウム、ステンレス等の金属板で構成することができる。また、成形体及びカバーは、例えばポリカーボネード、アクリル、ポリアセタール、ポリプロピレン、ポリエチレン、ポリエステル等の耐候性を有するプラスチックで構成することができる。
【００３１】
また、ロゴ表示体及び広告表示体は、上記のプラスチックにより形成したプレート、或いは、柔軟性を有するシート又はフィルムで構成することができる。また、パッキンは、例えばシリコンゴム、ウレタンゴム等の柔軟性を有する合成ゴムで構成することができる。
【発明の効果】
【００３２】
この発明によれば、自動販売機が取り扱う商品に関連した訴求情報の表示及び変更が簡単且つ容易に行えるとともに、例えば販売促進、宣伝広告、注目度等の訴求力が長期に亘り安定して得られる。
【図面の簡単な説明】
【００３３】
【図１】本実施形態の訴求情報表示装置を取り付けた自動販売機の正面図。
【図２】訴求情報表示装置を取り付けた自動販売機の上部背面図。
【図３】訴求情報表示装置を分離した状態の斜視正面図。
【図４】取付け板の取り付け方法を説明する斜視正面図。
【図５】成形体及びロゴ表示体の取り付け方法を説明する斜視正面図。
【図６】カバーの取り付け方法を説明する斜視正面図。
【図７】カバーの取り付けが完了した訴求情報表示装置の斜視正面図。
【図８】係止孔及び係止爪によるカバーの上端側固定方法の拡大平面図。
【図９】止めピンによるカバーの下端側固定方法の斜視図。
【図１０】止めピンを止め孔に挿入する直前の斜視図。
【図１１】止めピンを止め孔に挿入した直後の斜視図。
【図１２】止めピンを右方向又は左方向へ９０度回転した状態の斜視図。
【図１３】広告表示体の取り付け方法を説明する斜視正面図。
【図１４】広告表示体の取り付け状態を説明する斜視正面図。
【発明を実施するための形態】
【００３４】
この発明の一実施形態を以下図面に基づいて詳述する。  
図１は本実施形態の訴求情報表示装置２０を取り付けた自動販売機１の正面図、図２は訴求情報表示装置２０を取り付けた自動販売機１の上部背面図、図３は訴求情報表示装置２０を分離した状態の斜視正面図である。
【００３５】
本実施形態の訴求情報表示装置２０は、自動販売機１が取り扱う商品に関連したロゴ情報（○○Ｄｒｉｎｋ）が印刷されたプレート状のロゴ表示体３０、或いは、商品に関連した広告情報（△△Ｃｏｆｆｅｅ）を表示するシート状の広告表示体４０を、販売機本体２の外扉３上部に対し正面向けて取り付けるものである。
【００３６】
自動販売機１は、図１に示すように、例えば缶型、瓶型、ボトル型、箱型、袋型等の商品を販売するものであり、前面側が開口された販売機本体２と、販売機本体２の前面側開口部を開閉する外扉３とを備えている。また、外扉３は、販売機本体２１の幅方向一端側に対しヒンジ（図示せず）を介し左右開閉自在に連結している。
【００３７】
外扉３の上部前面には、自動販売機１が取り扱う商品に酷似した商品見本５を陳列するための展示部４を設けている。また、展示部４の前面には、該展示部４に陳列された商品見本５と対応して、自動販売機１が取り扱う商品を選択するための選択スイッチ６を配列している。
【００３８】
外扉３の右側下部前面には、紙幣を投入するための紙幣投入口７と、硬貨を投入するための硬貨投入口８と、投入した貨幣又はつり銭を返却するための返却口９と、その貨幣又はつり銭を返却処理するための返却スイッチ１０と、購入した商品Ａを取出すための商品取出口１１とを設けている。
【００３９】
訴求情報表示装置２０は、外扉３の上部平面と上部前面とで直角を成す前側上部角隅部に沿って該外扉３の幅方向に取り付けられる取付け板２１と、取付け板２１の前面を覆うように取り付けられる成形体２２と、成形体２２の上面及び前面、下面を覆うように取り付けられるカバー２３と、成形体２２の前面に取り付けられるロゴ表示体３０及び広告表示体４０とで構成している。
【００４０】
なお、成形体２２と、カバー２３と、ロゴ表示体３０は、例えば例えばポリアセタール、ポリプロピレン、ポリエチレン、ポリエステル、ポリカーボネード、アクリル等のプラスチックで形成している。  
また、広告表示体４０は、上述のプラスチックにより形成した柔軟性を有するシートで構成している。
【００４１】
取付け板２１は、図３、図４に示すように、外扉３の前側上部角隅部に対し上部平面に沿って水平載置される金属製の載置板２１ａと、該載置板２１ａの後端側を上方に向けて垂直に折り曲げて形成した起立板２１ｂと、該載置板２１ａの前端側を下方に向けて垂直に折り曲げて形成した垂下板２１ｃとで構成している。
【００４２】
垂下板２１ｃの下端側中央部には、展示部４の前側上縁部に形成した係止孔４ａと対応して、該係止孔４ａに対し係止される係止爪２１ｄを形成している。また、起立板２１ｂの後面側下端部には、後述する取付け金具２４を長手方向に対し所定間隔を隔てて取り付け可能に設けている（図２参照）。
【００４３】
起立板２１ｂの上端側前縁部には、後述する成形体２２の上端側後縁部を固定するための止め具２６を取り付け可能に設けている。また、垂下板２１ｃの下端側前縁部には、後述する成形体２２の下端側後縁部を固定するための止め具２６を取り付け可能に設けている（図５参照）。
【００４４】
上述の取付け板２１を、外扉３の前側上部角隅部に取り付ける場合、垂下板２１ｃの係止爪２１ｄを展示部４の係止孔４ａに係止して、載置板２１ａを外扉３の前側上部平面に水平載置する。
【００４５】
また、起立板２１ｂを、外扉３の後側上部角隅部に固定した後述する取付け金具２４の起立片２４ｂに対しネジ２５にて固定する。これにより、取付け板２１を、外扉３の後側上部角隅部に固定することができる。
【００４６】
すなわち、取付け板２１の垂下板２１ｃを外扉３の上部前面に沿って取り付け、載置板２１ａを外扉３の上部平面に沿って取り付けることにより、取付け板２１をガタ付くことなく固定することができる。
【００４７】
この結果、取付け板２１を、外扉３の前側上部角隅部に対し少ない工数にて取り付けることができる。また、取付け板２１を用いることにより、訴求情報表示装置２０を、外扉３の上部に対し安定した状態に取り付けることができる。さらに、外扉３の上部に対し取り付ける際に要する作業時間を短縮することができ、取付け作業の能率アップが図れる。
【００４８】
取付け金具２４は、外扉３の後側上部角隅部に対し上部平面に沿って水平載置される水平片２４ａと、水平片２４ａの後端側を上方に向けて垂直に折り曲げて形成した起立片２４ｂと、水平片２４ａの前端側を下方に向けて垂直に折り曲げて形成した垂下片２４ｃとで構成している（図２、図４参照）。
【００４９】
取付け金具２４の水平片２４ａは、外扉３の後側上部角隅部の上部平面に水平載置する。また、起立片２４ｂは、外扉３の前側上部角隅部の上部平面に載置した取付け板２１の起立板２１ｂに対しネジ２５にて固定する。また、垂下片２４ｃは、外扉３の後側上部角隅部の上部背面に対しネジ２５にて固定する。
【００５０】
成形体２２は、図３、図５に示すように、取付け板２１の前面全体（前面及び上下面、両側面）を覆う大きさ及び形状に正面から見て略矩形に形成している。また、成形体２２の前面側中央部には、後述するロゴ表示体３０と広告表示体４０を重ね合わせたまま収容が許容される凹状の収容部２２ａを形成している。
【００５１】
収容部２２ａは、ロゴ表示体３０と広告表示体４０を重ね合わせたまま収容が許容される大きさ及び形状、深さに、該成形体２２の前面に沿って長さ方向に形成している。また、収容部２２ａの両側前面には、ロゴ表示体３０の両側縁部に形成した係止溝３０ａと対応して、広告表示体４０の両側縁部に連設した係止片４０ａの差し込みが許容される凹状の受け部２２ａＺを形成している。
【００５２】
収容部２２ａの上側縁部と両側縁部からなる前側周縁部には、後述するカバー２３の窓部２３ａの上側縁部と両側縁部からなる内側周縁部と対向して柔軟性を有する合成ゴム製のパッキン２２ｂを取り付けている。また、収容部２２ａの下側縁部と対応するパッキン２２ｂの下側縁部間には、該収容部２２ａの内部と外部を連通する通路２２ｃを形成している。
【００５３】
成形体２２の上端側後縁部は、前記取付け板２１の起立板２１ｂの上端側前縁部を覆う大きさ及び形状に形成している。また、成形体２２の上端側後縁部には、後述するカバー２３の係止爪２３ｂが後方より係止される係止孔２２ｄを長手方向に対し所定間隔を隔てて形成している。さらにまた、係止孔２２ｄは、成形体２２の上端側後縁部を上方に向けて凸状に変形して形成している（図７、図８参照）。
【００５４】
成形体２２の下端側後縁部は、前記取付け板２１の垂下板２１ｃの下端側前縁部を覆う大きさ及び形状に形成している。また、成形体２２の下端側後縁部には、後述する止めピン２７が抜止めされる丸形状の止め孔２２ｅを形成している。
【００５５】
止め孔２２ｅは、後述する止めピン２７の上側部材２８の上端側係止部２８ｂよりも大径に形成され、該係止部２８ｂが垂直方向に対し挿入が許容される大きさ及び形状に形成している。また、止め孔２２ｅの対向縁部には、前記係止部２８ｂの対向外周面に突出した一対の突出片２８ｃの通過が許容される溝部２２ｆを形成している（図１０参照）。  
また、止め孔２２ｅの上面側対向縁部には、突出片２８ｃの先端側下面に突出した凸部２８ｄが係合される凹部２２ｇを形成している。
【００５６】
なお、収容部２２ａには、プレート状のロゴ表示体３０を、ロゴ情報の一例である「○○Ｄｒｉｎｋ」が印刷された表面を外扉３の正面と対応する方向に向けて、例えば両面粘着テープ、接着剤、ネジ等の固定手段にて固定している。  
これにより、ロゴ表示体３０に印刷された「○○Ｄｒｉｎｋ」が変形したり、歪んだりすることがなく、例えば明朝体、ゴシック体、筆記体等の所望する文字形態を維持することができる。
【００５７】
上述の成形体２２を、取付け板２１に対し前面を覆うように取り付ける場合、成形体２２の上端側後縁部を起立板２１ｂの上端側前縁部に重ね合わせて止め具２６により固定する。また、成形体２２の下端側後縁部を垂下板２１ｃの下端側前縁部に重ね合わせて止め具２６により固定する。
【００５８】
ロゴ表示体３０と広告表示体４０は、収容部２２ａよりも一回り小さく、該収容部２２ａの内部に対し収容が許容される大きさ及び形状に形成している。また、ロゴ表示体３０の前面には、ロゴ情報の一例として「○○Ｄｒｉｎｋ」を表示している。また、広告表示体４０の前面には、広告情報の一例として「△△Ｃｏｆｆｅｅ」を表示している。
【００５９】
カバー２３は、図３、図６に示すように、成形体２２の前面全体（前面及び上下面、両側面）を覆う大きさ及び形状に正面から見て略矩形に形成している。また、カバー２３の前面側中央部には、成形体２２の収容部２２ａと対応して該収容部２２ａに収容されたロゴ表示体３０のロゴ情報或いは広告表示体４０の広告情報の読み取りが許容される透明な窓部２３ａを形成している。
【００６０】
カバー２３の上端側後縁部には、前記成形体２２の係止孔２２ｄに対し後方より係止される係止爪２３ｂを長手方向に対し所定間隔を隔てて形成している（図７、図８参照）。また、カバー２３の下端側後縁部には、成形体２２の止め孔２２ｅに対し係止される止めピン２７を取り付けている（図９、図１０参照）。
【００６１】
止め具２６は、図６に示すように、取付け板２１と成形体２２の上端側対向縁部及び下端側対向縁部に形成した孔部に挿通される下側部材２６ａと、孔部に挿通される下側部材２６ａを孔部よりも大径に拡張する上側部材２６ｂとで構成している。
【００６２】
上述の止め具２６を用いて、成形体２２を取付け板２１に取り付ける場合、下側部材２６ａを、取付け板２１と成形体２２の上端側対向縁部及び下端側対向縁部に形成した孔部に挿通する。
【００６３】
次に、上側部材２６ｂを、下側部材２６ａの軸中心部に形成された挿入孔（図示せず）に圧入し、下側部材２６ａの先端部を孔部よりも大径に拡張して抜止めする。  
これにより、取付け板２１と成形体２２の上端側対向縁部及び下端側対向縁部を固定することができる。
【００６４】
止めピン２７は、図９〜図１２に示すように、カバー２３の下端側後縁部に形成した保持孔２３ｃを介して互いに連結される上側部材２８と下側部材２９とで構成している。  
上側部材２８は、前記止め孔２２ｅに対し挿入が許容される外径寸法に形成した中空の軸部２８ａと、軸部２８ａの上端側に形成した前記止め孔２２ｅよりも小径の係止部２８ｂとで構成している。
【００６５】
係止部２８ｂの対向外周面には、一対の突出片２８ｃを、前記止め孔２２ｅの溝部２２ｆと対応して径方向に向けて突出している。また、突出片２８ｃは、止め孔２２ｅの上面側周縁部に対し係止される長さに形成している。さらにまた、突出片２８ｃの先端側下面には、凹部２２ｇに対し係合される凸部２８ｄを形成している。
【００６６】
下側部材２９は、上側部材２８の軸部２８ａに対し軸方向に抜止め固定される爪付きの軸部２９ａと、軸部２９ａの下端側に形成した前記止め孔２２ｅよりも大径の回動操作部２９ｂとで構成している。
【００６７】
上述の止めピン２７を、カバー２３の保持孔２３ｃに取り付ける場合、保持孔２３ｃを介して、上側部材２８の軸部２８ａに対し下側部材２９の軸部２９ａを下方から差込んで一体的に組み付ける。
【００６８】
また、上側部材２８の突出片２８ｃを、前記保持孔２３ｃよりも上方に突出する。さらに、下側部材２９の回動操作部２９ｂを、前記保持孔２３ｃよりも上方に突出した状態に組み付ける。  
これにより、止めピン２７を、カバー２３の保持孔２３ｃに対し上下動可能で、かつ、軸芯回りに水平回転可能に取り付けられる（図９、図１０参照）。
【００６９】
上述のカバー２３を、成形体２２の上面、前面、下面を覆うように取り付ける場合、カバー２３の下端側後縁部に取り付けた止めピン２７を、成形体２２の下端側後縁部に形成した止め孔２２ｅと対向させる。この後、止めピン２７を軸芯回りに回動操作して、上側部材２８の突出片２８ｃを止め孔２２ｅの溝部２２ｆに対し挿入が許容される向き及び角度に回転停止する。  
このまま、止めピン２７を押し上げて、成形体２２の止め孔２２ｅに対し下方から垂直に挿入する（図１０、図１１参照）。
【００７０】
上側部材２８の突出片２８ｃを止め孔２２ｅよりも上方に突出した後、止めピン２７を軸芯回りに右方向又は左方向へ９０度回動操作して、上側部材２８の突出片２８ｃが止め孔２２ｅの上面側周縁部に対し係止される角度に回動する。
【００７１】
また、突出片２８ｃの凸部２８ｄを止め孔２２ｅの凹部２２ｇに係合して、上側部材２８の突出片２８ｃが止め孔２２ｅの溝部２２ｆに対し抜き取り不可となる向き及び角度に回転停止する（図１２参照）。
【００７２】
また、突出片２８ｃの凸部２８ｄを止め孔２２ｅの凹部２２ｇに係合した際に付与される感触により、止めピン２７による抜止めが完了したことを把握することができる。  
これにより、成形体２２とカバー２３の下端側対向縁部が開放不可に固定されるので、カバー２３を、成形体２２の上面、前面、下面を覆うように取り付けることができる。
【００７３】
また、止めピン２７を右方向又は左方向へ９０度回動操作して、突出片２８ｃの凸部２８ｄを止め孔２２ｅの凹部２２ｇから抜け出させるとともに、上側部材２８の突出片２８ｃを止め孔２２ｅの溝部２２ｆに対し抜き取りが許容される向き及び角度に回転操作する（図１１参照）。
【００７４】
すると、止めピン２７が自重により下降し、成形体２２の止め孔２２ｅから抜き取られ、上側部材２８の突出片２８ｃが止め孔２２ｅよりも下方に落下する。  
これにより、止めピン２７による成形体２２とカバー２３の下端側対向縁部の固定が解除されるので、カバー２３を、成形体２２から簡単に取り外すことができる。
【００７５】
上述の訴求情報表示装置２０を、自動販売機１の外扉３上部に取り付け方法を説明する。  
先ず、３枚の取付け金具２４を、外扉３の後側上部角隅部に沿って所定間隔を隔てて固定しておき、取付け板２１の係止爪２１ｄを展示部４の係止孔４ａに係止して、該取付け板２１を外扉３の前側上部角隅部に沿って水平載置した後、取付け板２１を取付け金具２４に対しネジ２５にて固定する（図２、図４参照）。  
これにより、取付け板２１を、外扉３の前側上部角隅部に沿って幅方向に取り付けることができる。
【００７６】
次に、成形体２２の上端側後縁部を取付け板２１の上端側前縁部に上から重ね合わせて止め具２６により固定する。また、成形体２２の下端側後縁部を取付け板２１の下端側前縁部に対し下から重ね合わせて止め具２６により固定する（図５、図６参照）。  
これにより、成形体２２を、取付け板２１の前面全体を覆うようにして取り付けることができる。
【００７７】
次に、カバー２３の上端側後縁部を成形体２２の上端側後縁部に対し上方から被せる際（図７参照）、カバー２３の係止爪２３ｂを成形体２２の係止孔２２ｄに対し後方より係止する（図８の［ａ］、［ｂ］参照）。
【００７８】
続いて、カバー２３の下端側後縁部を成形体２２の下端側後縁部に対し下方から被せる際、カバー２３の止めピン２７を成形体２２の止め孔２２ｅと対向させた後、止めピン２７を軸芯回りに回動操作して、上側部材２８の突出片２８ｃを止め孔２２ｅの溝部２２ｆに対し挿入が許容される向き及び角度に回転停止する。  
このまま、止めピン２７を押し上げて、成形体２２の止め孔２２ｅに対し下方から垂直に挿入する（図１０、図１１参照）。
【００７９】
上側部材２８の突出片２８ｃを止め孔２２ｅよりも上方に突出した後、止めピン２７を、例えばコインやドライバー等の開閉治具により右方向又は左方向へ９０度回動操作して、上側部材２８の突出片２８ｃが止め孔２２ｅの上面側周縁部に対し係止される抜止め角度に回動するとともに、突出片２８ｃの凸部２８ｄを止め孔２２ｅの凹部２２ｇに係合する（図１２参照）。
【００８０】
これにより、上側部材２８の突出片２８ｃが止め孔２２ｅの溝部２２ｆに対し抜き取り不可となる向き及び角度に回転停止されるので、成形体２２とカバー２３との下端側対向縁部を開放不可に固定することができる。  
この結果、図１、図７に示すように、カバー２３を、成形体２２の上面、前面、下面を覆うようにして取り付けることができる。
【００８１】
また、カバー２３の窓部２３ａを成形体２２の収容部２２ａと対向して取り付け、成形体２２の収容部２２ａをカバー２３にて覆い隠すことにより、収容部２２ａに収容されたロゴ表示体３０を保護することができる。  
例えば塵埃、ゴミ等の異物がロゴ表示体３０に直接付着することがなく、ロゴ表示体３０に表示されたロゴ情報の読み取りが許容される綺麗な状態を長期に亘り維持することができる。
【００８２】
また、収容部２２ａの前側周縁部に取り付けたパッキン２２ｂが、窓部２３ａの内側周縁部に対し略均等に押し付けられ、収容部２２ａと窓部２３ａの対向周縁部を水密状態にシールする。
【００８３】
これにより、成形体２２の収容部２２ａに、例えば雨水や水滴、雪、ゴミ等の異物が浸入することを防止することができる。また、収容部２２ａに収容したロゴ表示体３０や広告表示体４０の表示面に、上述の異物が付着するか、該異物の付着跡が残ってしまうことを防止することができる。
【００８４】
この結果、ロゴ表示体３０のロゴ情報を、カバー２３の窓部２３ａを通して外部から正確に読み取ることができるため、自動販売機１が取り扱う商品に関連した情報、すなわち、例えば会社名、商品名等をアピールすることができる。
【００８５】
また、ロゴ表示体３０の表示面を、該表示面に表示されたロゴ情報の読み取りが許容される綺麗な状態を保つことができ、自動販売機１が取り扱う商品の販売促進、宣伝広告、注目度等の訴求力が長期に亘り安定して得られる。
【００８６】
次に、カバー２３を、成形体２２から取り外す際の作業手順を説明する。  
先ず、止めピン２７を、開閉治具により右方向又は左方向へ９０度回動操作して、突出片２８ｃの凸部２８ｄを止め孔２２ｅの凹部２２ｇから抜け出させるとともに、上側部材２８の突出片２８ｃを止め孔２２ｅの溝部２２ｆに対し抜き取りが許容される向き及び角度に回転操作する（図１１参照）。
【００８７】
このとき、止めピン２７が自重により下降し、成形体２２の止め孔２２ｅから抜き取られ、上側部材２８の突出片２８ｃが止め孔２２ｅよりも下方に落下する。  
これにより、止めピン２７による成形体２２とカバー２３の下端側対向縁部の固定が解除されるので、カバー２３を、成形体２２から簡単に取り外すことができる。
【００８８】
次に、カバー２３の下端側或いは止めピン２７を手で掴んだまま、カバー２３の下端側を手前に引き上げながら該カバー２３の全体を上方に持ち上げて、カバー２３の係止爪２３ｂを成形体２２の係止孔２２ｄから抜き取れば、カバー２３を、成形体２２から取り外す作業が完了する。
【００８９】
また、カバー２３を成形体２２に取り付ける際、カバー２３の係止爪２３ｂを成形体２２の係止孔２２ｄに係止する上端側固定構造と、止めピン２７を止め孔２２ｅに抜止めする下端側固定構造とを用いて取り付けるので、例えばネジや金具等の部品を用いることなく、カバー２３を成形体２２に対し取り付けることができる。
【００９０】
また、止めピン２７を回動操作するだけで、カバー２３を、成形体２２を覆うように取り付けたり、該成形体２２から取り外したりする作業が容易に行え、作業性の向上を図ることができる。
【００９１】
次に、シート状の広告表示体４０を、カバー２３を取り外した成形体２２の収容部２２ａに収容する場合、図１３、図１４に示すように、広告表示体４０を、広告情報が印刷された表面を外扉３の正面と対応する方向に向けたまま、成形体２２の収容部２２ａに固定されたロゴ表示体３０の表面に重ね合わせて、ロゴ表示体３０の表面に印刷されたロゴ情報を覆い隠す。
【００９２】
また、広告表示体４０の両側縁部に形成した係止片４０ａを、ロゴ表示体３０の両側縁部に形成した係止溝３０ａに対し外扉３の正面と対応する方向からそれぞれ差込んで係止する。  
さらに、係止片４０ａを裏面側と対向する方向に折り返して、ロゴ表示体３０の係止溝３０ａに係止すればより確実に装着することができる。  
なお、収容部２２ａの受け部２２ａＺによって係止片４０ａの差込み或いは折り返しをガイドするか、係止片４０ａの係止状態或いは折り返し状態を維持してもよい。
【００９３】
これにより、広告表示体４０を、ロゴ表示体３０の表面に印刷されたロゴ情報を覆い隠すように装着するだけで、ロゴ表示体３０のロゴ情報を表示するロゴ表示状態から、広告表示体４０の広告情報を表示する広告表示状態へ簡単に表示変更することができる。
【００９４】
この結果、広告表示体４０の広告情報を、カバー２３の窓部２３ａを通して外部から読み取ることができるため、自動販売機１が取り扱う商品の販売促進、宣伝広告、注目度等の訴求力を高めることができる。
【００９５】
この発明の構成と、前記実施形態との対応において、  
この発明の表示体は、ロゴ表示体３０と、広告表示体４０に対応し、  
以下同様に、  
固定手段は、ネジ２５に対応するも、  
この発明は、上述の実施形態の構成のみに限定されるものではなく、請求項に示される技術思想に基づいて応用することができ、多くの実施の形態を得ることができる。
【００９６】
例えばＬＥＤ発光素子、蛍光灯等の光源を訴求情報表示装置２０に内蔵して、ロゴ表示体３０或いは広告表示体４０を内側から照光してもよい。また、取付け板２１を、例えばマグネット、面ファスナー、ネジ等の固定手段にて外扉３に固定してもよい。また、ロゴ表示体３０及び広告表示体４０を、上述の固定手段にて成形体２２の収容部２２ａに固定してもよい。
【符号の説明】
【００９７】
１…自動販売機
２…販売機本体
３…外扉
４…展示部
４ａ…係止孔
２０…訴求情報表示装置
２１…取付け板
２１ｄ…係止爪
２２…成形体
２２ａ…収容部
２２ｂ…パッキン
２２ｃ…通路
２２ｄ…係止孔
２２ｅ…止め孔
２３…カバー
２３ｃ…保持孔
２３ａ…窓部
２３ｂ…係止爪
２４…取付け金具
２６…止め具
２７…止めピン
３０…ロゴ表示体
３０ａ…係止溝
４０…広告表示体
４０ａ…係止片
【図１】
0005645688.tif 000002
【図２】
0005645688.tif 000003
【図３】
0005645688.tif 000004
【図４】
0005645688.tif 000005
【図５】
0005645688.tif 000006
【図６】
0005645688.tif 000007
【図７】
0005645688.tif 000008
【図８】
0005645688.tif 000009
【図９】
0005645688.tif 000010
【図１０】
0005645688.tif 000011
【図１１】
0005645688.tif 000012
【図１２】
0005645688.tif 000013
【図１３】
0005645688.tif 000014
【図１４】
0005645688.tif 000015